(57)【特許請求の範囲】
【請求項１】
洗濯兼脱水槽または前記洗濯兼脱水槽の底部に設けた回転翼を駆動する駆動手段と、前記洗濯兼脱水槽に水を供給する給水手段と、水位、洗い、すすぎ、脱水などの内容を設定するスイッチ入力手段と、前記スイッチ入力手段からの信号を入力して前記駆動手段と前記給水手段の動作を制御し洗い、すすぎ、脱水の各行程を逐次制御する制御手段とを備え、前記制御手段は、前記スイッチ入力手段により、水位、洗い、すすぎ、脱水などの設定内容を変更することで、前記変更内容で各行程を実行するようにし、洗い、すすぎ、脱水の各行程を順次実行するように設定した場合においては、洗い行程終了後、洗濯水の排水、脱水の動作を行った後、すすぎ行程において、洗濯水が排水された状態で前記駆動手段により前記洗濯兼脱水槽を回転させながら前記給水手段により前記洗濯兼脱水槽に水を供給する動作を行い、洗い行程をなしにしすすぎ行程から実行するようにした場合または洗い行程を途中で終了させすすぎ行程に以降するようにした場合においては、前記すすぎ行程において、前記洗濯水が排水された状態で前記駆動手段により前記洗濯兼脱水槽を回転させながら前記給水手段により前記洗濯兼脱水槽に水を供給する動作を行わず、前記洗濯兼脱水槽に水を溜めて前記駆動手段により前記回転翼を駆動する動作に変更する構成とした洗濯機の制御装置。
【請求項２】
制御手段は、スイッチ入力手段により、洗い、すすぎ、脱水の各行程を順次実行するように設定した場合において、すすぎ回数を増やすように設定変更した場合は、すすぎ行程において、洗濯水が排水された状態で駆動手段により洗濯兼脱水槽を回転させながら水を供給する動作の時間を延長する構成とした請求項１記載の洗濯機の制御装置。
【発明の詳細な説明】
【０００１】
【発明の属する技術分野】
本発明は、すすぎ行程の動作で、洗濯兼脱水槽を回転させながら水を供給したり、洗濯兼脱水槽に水を溜めてすすぐ動作を逐次制御する洗濯機の制御装置に関するものである。
【０００２】
【従来の技術】
従来、この種の洗濯機の制御装置は、水位、洗い、すすぎ、脱水などの内容を設定変更した場合、どの場合でも必ず、すすぎ行程においては洗濯兼脱水槽に設定水位まで水を溜めて衣類をすすぐ動作を行っていた。
【０００３】
【発明が解決しようとする課題】
しかしながら、上記従来の構成では、使用者が好みの洗濯をしたくて、水位、洗い、すすぎ、脱水などの内容を設定変更した場合、水を節約し、すすぎ効率のよいすすぎができないという問題を有していた。
【０００４】
本発明は上記従来の課題を解決するもので、水位、洗い、すすぎ、脱水などの設定内容を変更した場合でも、洗い行程をなしにしない限り、水を節約し、すすぎ効率のよいすすぎができるようにし、洗い行程をなしにした場合にも、正常にすすぎができるようにすることを目的としている。
【０００５】
【課題を解決するための手段】
本発明は上記目的を達成するために、水位、洗い、すすぎ、脱水などの内容をスイッチ入力手段により設定し、スイッチ入力手段からの信号を制御手段に入力して、駆動手段と給水手段の動作を制御して洗い、すすぎ、脱水の各行程を逐次制御する。制御手段は、スイッチ入力手段により、水位、洗い、すすぎ、脱水などの設定内容を変更することで、前記変更内容で各行程を実行するようにし、洗い、すすぎ、脱水の各行程を順次実行するように設定した場合においては、洗い行程終了後、洗濯水の排水、脱水の動作を行った後、すすぎ行程において、洗濯水が排水された状態で駆動手段により洗濯兼脱水槽を回転させながら給水手段により洗濯兼脱水槽に水を供給する動作を行い、洗い行程をなしにしすすぎ行程から実行するようにした場合または洗い行程を途中で終了させすすぎ行程に以降するようにした場合においては、すすぎ行程において、洗濯水が排水された状態で駆動手段により洗濯兼脱水槽を回転させながら給水手段により洗濯兼脱水槽に水を供給する動作を行わず、洗濯兼脱水槽に水を溜めて駆動手段により回転翼を駆動する動作に変更する構成としたものである。
【０００６】
これにより、水位、洗い、すすぎ、脱水などの設定内容を変更した場合でも、洗い行程をなしにしない限り、すすぎ行程において、駆動手段により洗濯兼脱水槽を回転させながら給水手段により洗濯兼脱水槽に水を供給する動作を行うことで、水を節約し、すすぎ効率のよいすすぎをすることができ、洗い行程をなしにした場合は、洗濯兼脱水槽に水を溜めて駆動手段により回転翼を駆動する動作に変更することで、正常にすすぎをすることができる。
【０００７】
【発明の実施の形態】
本発明の請求項１に記載の発明は、洗濯兼脱水槽または前記洗濯兼脱水槽の底部に設けた回転翼を駆動する駆動手段と、前記洗濯兼脱水槽に水を供給する給水手段と、水位、洗い、すすぎ、脱水などの内容を設定するスイッチ入力手段と、前記スイッチ入力手段からの信号を入力して前記駆動手段と前記給水手段の動作を制御し洗い、すすぎ、脱水の各行程を逐次制御する制御手段とを備え、前記制御手段は、前記スイッチ入力手段により、水位、洗い、すすぎ、脱水などの設定内容を変更することで、前記変更内容で各行程を実行するようにし、洗い、すすぎ、脱水の各行程を順次実行するように設定した場合においては、洗い行程終了後、洗濯水の排水、脱水の動作を行った後、すすぎ行程において、洗濯水が排水された状態で前記駆動手段により前記洗濯兼脱水槽を回転させながら前記給水手段により前記洗濯兼脱水槽に水を供給する動作を行い、洗い行程をなしにしすすぎ行程から実行するようにした場合または洗い行程を途中で終了させすすぎ行程に以降するようにした場合においては、前記すすぎ行程において、前記洗濯水が排水された状態で前記駆動手段により前記洗濯兼脱水槽を回転させながら前記給水手段により前記洗濯兼脱水槽に水を供給する動作を行わず、前記洗濯兼脱水槽に水を溜めて前記駆動手段により前記回転翼を駆動する動作に変更する構成としたものであり、使用者が好みの洗濯をしたくて、水位、洗い、すすぎ、脱水などの設定内容を変更した場合でも、洗い行程をなしにしない限り、すすぎ行程において、駆動手段により洗濯兼脱水槽を回転させながら給水手段により洗濯兼脱水槽に水を供給する動作を行うことで、水を節約し、すすぎ効率のよいすすぎを行うことができる。一方、洗い行程をなしにして、いきなりすすぎ行程よりスタートしたり、途中切換により洗いの残り時間を０分にして、洗い行程の最後に行うバランスコントロール水流を飛ばした場合は、洗濯兼脱水槽内の衣類が片寄っている場合が多く、その状態で洗濯兼脱水槽を回転させながら水を供給すると、洗濯兼脱水槽が洗濯機外枠に接触して当たり、正常にすすぎができない場合があり、この場合は、洗濯兼脱水槽に水を溜めて駆動手段により回転翼を駆動する動作に変更することで、正常にすすぎをすることができる。
【０００８】
請求項２に記載の発明は、上記請求項１に記載の発明において、制御手段は、スイッチ入力手段により、洗い、すすぎ、脱水の各行程を順次実行するように設定した場合において、すすぎ回数を増やすように設定変更した場合は、すすぎ行程において、洗濯水が排水された状態で駆動手段により洗濯兼脱水槽を回転させながら水を供給する動作の時間を延長する構成としたものであり、使用者のもっとすすぎたいという要望に対して、すすぎ性能を上げる場合でも、すすぎ回数を増やすように設定している場合は、単にためすすぎの回数を増やすのではなく、すすぎ効率のよい滝すすぎの時間を増やすことで、より水を節約し、すすぎ効率のよいすすぎをすることができる。
【０００９】
【実施例】
以下、本発明の実施例について、図面を参照しながら説明する。
【００１０】
（実施例１）
図２に示すように、水受け槽１は、底部に回転翼２を回転自在に配設した洗濯兼脱水槽３を内包し、吊り棒４により洗濯機外枠５に吊り下げている。循環水路カバー６は、洗濯兼脱水槽３の内面に複数個取着し、洗濯兼脱水槽３との間に独立した複数の循環水路７を形成している。回転翼２の裏面に下側羽根８を一体に設け、下側羽根８の外周に形成したポンプ室９を複数の循環水路７に連通している。複数の循環水路７の上部を洗濯兼脱水槽３の内部に向けて開口し、この開口部にそれぞれ散水用ノズル１０、リントフィルター１１を設けている。
【００１１】
モータ（駆動手段）１２は、水受け槽１の下側に配設し、Ｖベルト１３および減速機構１４を介して、洗濯時には回転翼２を駆動し、脱水時には洗濯兼脱水槽３を脱水回転させる。排水弁１５は洗濯兼脱水槽２内の洗濯水の排水を制御するもので、水受け槽１の下側に配設している。給水弁（給水手段）１６は洗濯兼脱水槽３内に給水するものである。洗濯機外枠５の上側に蓋１７を設けている。制御装置１８はモータ１２、排水弁１５、給水弁１６などを制御する。流体バランサー１９は脱水時の洗濯兼脱水槽３の振動を低減させるもので、洗濯兼脱水槽３の上部に設けている。
【００１２】
制御装置１８は、図１に示すように構成しており、制御手段２０は、マイクロコンピュータで構成し、この制御手段２０からの信号によりパワースイッチング手段２１を介して、モータ１２、排水弁１５、給水弁１６などを制御する。スイッチ入力手段２２は、水位、洗い時間、すすぎ回数、脱水時間などを設定するもので、このスイッチ入力手段２２により設定した内容を表示手段２３により表示する。
【００１３】
水位検知手段２４は、洗濯兼脱水槽３内の水位を検知するものである。布量判定手段２５は、モータ４を駆動した後、通電を遮断したときの惰性回転時の進相コンデンサ２１の両端の電圧からのパルス数により洗濯兼脱水槽３に入っている布量を判定する。なお、２６は電源スイッチ、２７は交流電源、２８はモ−タ１２の進相コンデンサである。
【００１４】
スイッチ入力手段２２は、図３に示すように、水位切換スイッチ２２ａ、洗い時間切換スイッチ２２ｂ、すすぎ回数切換スイッチ２２ｃ、脱水時間切換スイッチ２２ｄ、コース切換スイッチ２２ｅ、スタート／一時停止スイッチ２２ｆなどで構成している。表示手段２３は、水位表示部２３ａ、洗い、すすぎ、脱水の行程進行表示部２３ｂ、洗い、すすぎ、脱水の各設定内容表示部２３ｃ、残時間表示部２３ｄ、コース表示部２３ｅなどで構成している。
【００１５】
制御手段２０は、スイッチ入力手段２２により、水位、洗い、すすぎ、脱水などの設定内容を変更しても、すすぎ行程において、モータ１２により洗濯兼脱水槽３を間欠的に回転させながら給水弁１６により洗濯兼脱水槽３に水を供給する「滝すすぎ」を行い、スイッチ入力手段２２により、洗い行程をなしにした場合は、すすぎ行程での動作を、洗濯兼脱水槽３に設定水位まで給水した後、回転翼２の正転、反転により、洗濯兼脱水槽３内の衣類を撹拌してすすぐ「ためすすぎ」に変更する構成としている。
【００１６】
上記構成において図４を参照しながら動作を説明する。電源投入後、ステップ１０１で水位切換スイッチ２２ａが押されたとき、制御手段２０はステップ１０２で、水位を設定し、水位表示部２３ａに設定表示する。そしてステップ１０３で洗い時間、すすぎ回数、脱水時間をそれぞれ設定してフルコースとし、洗い、すすぎ、脱水の各設定内容表示部２３ｃにて表示する。
【００１７】
ステップ１０４で洗い時間切換スイッチ２２ｂが押されたとき、制御手段２０はステップ１０５で、洗い時間を設定変更し、洗い時間表示部に表示する。またステップ１１９ですすぎ回数切換スイッチ２２ｃが押されたとき、制御手段２０はステップ１２０で、すすぎ回数を設定変更し、すすぎ設定表示部に表示する。またステップ１２１で脱水時間切換スイッチ２２ｄが押されたとき、制御手段２０はステップ１２２で、脱水時間を設定変更し、脱水時間表示部に表示する。
【００１８】
ここでステップ１０６において、洗い時間切換スイッチ２２ｂにより洗い時間を０分、つまり洗い行程をなしに切り換えた場合、ステップ１１４で洗濯スタート後、ステップ１１５ですすぎ行程の排水をし、ステップ１２２で間欠脱水を行い、回転数を徐々に立ち上げてステップ１１７の脱水に移行する。そして、脱水終了後、ステップ１１８で「ためすすぎ」を行う。
【００１９】
また、ステップ１０６において、洗い時間を０分以外に切り換えた場合、ステップ１０７で洗濯スタート後、ステップ１０８で設定水位まで給水を行い、ステップ１０９で設定された洗い時間撹拌動作を行う。この洗い動作の終了間際で水流が、一定時間バランスコントロール水流となり、洗濯兼脱水槽３内の衣類を片寄りなく均一にする。
【００２０】
つぎに、ステップ１１０で汚れた洗濯水を排水し、ステップ１１１で間欠脱水を行い、回転数を徐々に立ち上げてステップ１１２の脱水に移行する。脱水終了後、ステップ１１３で「滝すすぎ」を行う。
【００２１】
したがって、水位、洗い、すすぎ、脱水などの内容を設定変更した場合でも、水を節約し、すすぎ効率のよい「滝すすぎ」を行うことができる。一方、洗い行程をなしにして、いきなりすすぎ行程よりスタートさせることにより、洗い行程の最後に行うバランスコントロール水流を飛ばした場合は、洗濯兼脱水槽３内の衣類が片寄っている場合が多く、その状態で洗濯兼脱水槽３を回転させながら水を供給すると、洗濯兼脱水槽３が洗濯機外枠５に接触して当たり、正常にすすぎができない場合があるため、この場合は洗濯兼脱水槽３に水を溜めて撹拌することにより、正常にすすぎ動作を行うことができる。
【００２２】
（実施例２）
図１における制御手段２０は、布量判定手段２５により洗濯兼脱水槽３に入っている衣類の量を判定して洗濯兼脱水槽３に給水する水位を決定し、洗い動作中に、スイッチ入力手段２２により洗い時間を０分に切り換えた場合、すすぎ行程での動作を、洗濯兼脱水槽３に設定水位まで給水した後、回転翼２の正転、反転により、洗濯兼脱水槽３内の衣類を撹拌してすすぐ「ためすすぎ」に変更する構成としている。他の構成は上記実施例１と同じである。
【００２３】
上記構成において図５を参照しながら動作を説明すると、電源投入後、ステップ２０１で洗濯スタートした後、制御手段２０はステップ２０２で、布量判定手段２５により洗濯兼脱水槽３に入っている衣類の量を判定し、水位を決定する。そして、ステップ２０３で、設定水位まで給水を行い、ステップ２０４で設定された洗い時間撹拌動作を行う。
【００２４】
ここで、ステップ２０５で洗い動作中に、ステップ２０６で洗い時間切換スイッチ２２ｂにより、洗い時間を０分に切り換えた場合、その時点で洗い行程を終了し、ステップ２０７ですすぎ行程の排水をし、ステップ２０８で間欠脱水を行い、回転数を徐々に立ち上げてステップ２０９の脱水に移行する。そして、脱水終了後、ステップ２１０で「ためすすぎ」を行う。
【００２５】
また、ステップ２０５で設定された洗い時間が経過し、洗い行程が終了した場合は、ステップ２１１で汚れた洗濯水を排水し、ステップ２１２で間欠脱水を行い、回転数を徐々に立ち上げてステップ２１３の脱水に移行する。そして、脱水終了後、ステップ２１４で「滝すすぎ」を行う。
【００２６】
したがって、洗い動作中に途中切換により、洗いの残り時間を０分にして、洗い行程の最後に行うバランスコントロール水流を飛ばした場合は、洗濯兼脱水槽３内の衣類が片寄っている場合が多く、その状態で洗濯兼脱水槽３を回転させながら水を供給すると、洗濯兼脱水槽３が洗濯機外枠５に接触して当たり、正常にすすぎができない場合があるため、この場合は洗濯兼脱水槽３に水を溜めて撹拌することにより、正常にすすぎ動作を行うことができる。
【００２７】
（実施例３）
図１における制御手段２０は、スイッチ入力手段２２のすすぎ切換スイッチ２２ｃにより、すすぎ回数を増やしたり、注水すすぎに設定したりした場合は、すすぎ行程での動作で、洗濯兼脱水槽３を回転させながら水を供給する動作において、その時間を延長する構成としている。他の構成は上記実施例１と同じである。
【００２８】
上記構成において図６を参照しながら動作を説明する。ステップ３０１でスイッチ入力手段２２のすすぎ切換スイッチ２２ｃが押されたとき、制御手段２０はステップ３０２で、すすぎ回数が変更された場合は、ステップ３０３ですすぎ回数を変更設定し、すすぎ回数を設定内容表示部２３ｃのすすぎ設定表示部にて表示する。また、ステップ３０４で「注水すすぎ」に変更された場合は、ステップ３０５で注水すすぎに変更設定し、すすぎ内容を設定内容表示部２３ｃのすすぎ設定表示部にて表示する。
【００２９】
そして、ステップ３０６ですすぎ行程であれば、ステップ３０７で洗濯兼脱水槽３を回転させながら水を供給する「滝すすぎ」を行うが、ステップ３０８ですでにすすぎ回数を増やしたり、注水すすぎを設定している場合は、ステップ３０９にて「滝すすぎ」を行う時間を延長する。
【００３０】
したがって、よりすすぎたいという要望に対して、すすぎ回数を増やしたり、注水すすぎを設定している場合は、単に「ためすすぎ」の回数を増やすのではなく、より水を節約し、すすぎ効率のよい「滝すすぎ」を行い、その時間を増やすことで、よりすすぎたいという要望に応えることができる。
【００３１】
【発明の効果】
以上のように本発明の請求項１に記載の発明によれば、洗濯兼脱水槽または前記洗濯兼脱水槽の底部に設けた回転翼を駆動する駆動手段と、前記洗濯兼脱水槽に水を供給する給水手段と、水位、洗い、すすぎ、脱水などの内容を設定するスイッチ入力手段と、前記スイッチ入力手段からの信号を入力して前記駆動手段と前記給水手段の動作を制御し洗い、すすぎ、脱水の各行程を逐次制御する制御手段とを備え、前記制御手段は、前記スイッチ入力手段により、水位、洗い、すすぎ、脱水などの設定内容を変更することで、前記変更内容で各行程を実行するようにし、洗い、すすぎ、脱水の各行程を順次実行するように設定した場合においては、洗い行程終了後、洗濯水の排水、脱水の動作を行った後、すすぎ行程において、洗濯水が排水された状態で前記駆動手段により前記洗濯兼脱水槽を回転させながら前記給水手段により前記洗濯兼脱水槽に水を供給する動作を行い、洗い行程をなしにしすすぎ行程から実行するようにした場合または洗い行程を途中で終了させすすぎ行程に以降するようにした場合においては、前記すすぎ行程において、前記洗濯水が排水された状態で前記駆動手段により前記洗濯兼脱水槽を回転させながら前記給水手段により前記洗濯兼脱水槽に水を供給する動作を行わず、前記洗濯兼脱水槽に水を溜めて前記駆動手段により前記回転翼を駆動する動作に変更する構成としたから、使用者が好みの洗濯をしたくて、水位、洗い、すすぎ、脱水などの設定内容を変更した場合でも、洗い行程をなしにしない限り、すすぎ行程において、駆動手段により洗濯兼脱水槽を回転させながら給水手段により洗濯兼脱水槽に水を供給する動作を行うことで、水を節約し、すすぎ効率のよいすすぎを行うことができる。一方、洗い行程をなしにして、いきなりすすぎ行程よりスタートしたり、途中切換により洗いの残り時間を０分にして、洗い行程の最後に行うバランスコントロール水流を飛ばした場合は、洗濯兼脱水槽内の衣類が片寄っている場合が多く、その状態で洗濯兼脱水槽を回転させながら水を供給すると、洗濯兼脱水槽が洗濯機外枠に接触して当たり、正常にすすぎができない場合があり、この場合は、洗濯兼脱水槽に水を溜めて駆動手段により回転翼を駆動する動作に変更することで、正常にすすぎをすることができる。
【００３２】
また、請求項２に記載の発明によれば、制御手段は、スイッチ入力手段により、洗い、すすぎ、脱水の各行程を順次実行するように設定した場合において、すすぎ回数を増やすように設定変更した場合は、すすぎ行程において、洗濯水が排水された状態で駆動手段により洗濯兼脱水槽を回転させながら水を供給する動作の時間を延長する構成としたから、使用者のもっとすすぎたいという要望に対して、すすぎ性能を上げる場合でも、すすぎ回数を増やすように設定している場合は、単にためすすぎの回数を増やすのではなく、すすぎ効率のよい滝すすぎの時間を増やすことで、より水を節約し、すすぎ効率のよいすすぎをすることができる。
【図面の簡単な説明】
【図１】  本発明の第１の実施例の洗濯機の制御装置のブロック回路図
【図２】  同洗濯機の制御装置を備えた洗濯機の断面図
【図３】  同洗濯機の制御装置の操作パネルの正面図
【図４】  同洗濯機の制御装置の要部動作フロ−チャ−ト
【図５】  本発明の第２の実施例の洗濯機の制御装置の要部動作フロ−チャ−ト
【図６】  本発明の第３の実施例の洗濯機の制御装置の要部動作フロ−チャ−ト
【符号の説明】
２  回転翼
３  洗濯兼脱水槽
１２  モータ（駆動手段）
１６  給水弁（給水手段）
２０  制御手段
２２  スイッチ入力手段
【図１】
0003791136.tif 000002
【図２】
0003791136.tif 000003
【図３】
0003791136.tif 000004
【図４】
0003791136.tif 000005
【図５】
0003791136.tif 000006
【図６】
0003791136.tif 000007